(57)【特許請求の範囲】
【請求項１】
アンテナと、当該アンテナを覆うレドームと、を備え、
前記レドームは、表面が面一である第１の部分、第２の部分及び第３の部分を備え、
前記第１の部分は、前記アンテナが出射方向を前記第１の部分に向けて出射したビームの０度の走査角に応じたビーム透過特性を有し、
前記第２の部分は、前記アンテナが出射方向を当該第２の部分に向けて出射したビームの第１の走査角に応じたビーム透過特性を有し、
前記第３の部分は、前記アンテナが出射方向を当該第３の部分に向けて出射したビームの第２の走査角に応じたビーム透過特性を有しており、
前記アンテナは、平面アンテナであり、
前記第２の部分は、前記第１の部分の一方の端部に隣接し、前記第３の部分は、前記第１の部分の他方の端部に隣接しており、
前記第１の部分、前記第２の部分及び前記第３の部分は、それぞれ、１つ以上の層から構成され、
前記第１の部分と前記第２の部分とは、層の数、及び前記１つ以上の層が複数の層である場合における各層の厚さ、の少なくとも１つ以上が異なることにより、ビーム透過特性が異なり、
前記第１の部分と前記第３の部分とは、層の数、及び前記１つ以上の層が複数の層である場合における各層の厚さ、の少なくとも１つ以上が異なることにより、ビーム透過特性が異なることを特徴とする、アンテナ装置。
【請求項２】
前記第１の部分は、前記平面アンテナを基準として、０度の走査角の方向に位置し、
前記第２の部分は、前記平面アンテナを基準として、前記第１の走査角の方向に位置し、
前記第３の部分は、前記平面アンテナを基準として、前記第２の走査角の方向に位置していることを特徴とする、請求項１に記載のアンテナ装置。
【請求項３】
前記第１の部分は、前記平面アンテナのビーム出射面に対向する面を有し、
前記第１の部分の前記面の大きさと、前記平面アンテナの前記ビーム出射面の大きさとは、同等であることを特徴とする、請求項１に記載のアンテナ装置。
【請求項４】
アンテナと、当該アンテナを覆うレドームと、を備え、
前記レドームは、表面が面一である第１の部分、第２の部分及び第３の部分を備え、
前記第１の部分は、前記アンテナが出射方向を前記第１の部分に向けて出射したビームの０度の走査角に応じたビーム透過特性を有し、
前記第２の部分は、前記アンテナが出射方向を当該第２の部分に向けて出射したビームの第１の走査角に応じたビーム透過特性を有し、
前記第３の部分は、前記アンテナが出射方向を当該第３の部分に向けて出射したビームの第２の走査角に応じたビーム透過特性を有しており、
前記アンテナは、開口面アンテナであり、
前記第３の部分は、前記第２の部分の一方の端部に隣接し、前記第１の部分は、前記第２の部分の他方の端部に隣接しており、
前記第１の部分、前記第２の部分及び前記第３の部分は、それぞれ、１つ以上の層から構成され、
前記第１の部分と前記第２の部分とは、層の数、及び前記１つ以上の層が複数の層である場合における各層の厚さ、の少なくとも１つ以上が異なることにより、ビーム透過特性が異なり、
前記第１の部分と前記第３の部分とは、層の数、及び前記１つ以上の層が複数の層である場合における各層の厚さ、の少なくとも１つ以上が異なることにより、ビーム透過特性が異なり、
前記第２の部分と前記第３の部分とは、層の数、及び前記１つ以上の層が複数の層である場合における各層の厚さ、の少なくとも１つ以上が異なることにより、ビーム透過特性が異なることを特徴とする、アンテナ装置。
【請求項５】
前記第１の部分は、前記開口面アンテナを基準として、０度の走査角の方向に位置し、
前記第２の部分は、前記開口面アンテナを基準として、前記第２の走査角と０度の走査角との間の第１の走査角の方向に位置し、
前記第３の部分は、前記開口面アンテナを基準として、前記第２の走査角の方向に位置していることを特徴とする、請求項４に記載のアンテナ装置。
【請求項６】
前記第１の部分は、前記開口面アンテナが開口面を前記第１の部分に向けた場合に当該開口面に対向する面を有し、
前記第１の部分の前記面の大きさと、前記開口面アンテナの前記開口面の大きさとは、同等であることを特徴とする、請求項４に記載のアンテナ装置。
【請求項７】
前記レドームは、前記第１の部分、前記第２の部分及び前記第３の部分の各表面と表面が面一の１つ以上の部分をさらに備え、
前記１つ以上の部分のうちの任意の部分は、前記アンテナが出射方向を当該任意の部分に向けて出射したビームの所定の走査角に応じたビーム透過特性を有していることを特徴とする、請求項１から請求項６の何れか１項に記載のアンテナ装置。
【発明の詳細な説明】
【技術分野】
【０００１】
本発明は、アンテナを覆うレドームを備えているアンテナ装置に関する。
【背景技術】
【０００２】
アンテナには、風雨又は砂塵等の外部環境から保護するために、ビーム出射面を覆うレドームが設置されることがある。しかし、厚さが均一な一般的なレドームでは、アンテナがレドームに向けて出射したビームの入射角に応じてビーム透過特性が変わるため、特定の走査角以外の走査角で出射されたビームは、特定の走査角で出射されたビームよりも、ビーム強度の減衰が大きくなることが知られている。そのため、レドームにおける、ビームの走査角に依存したビーム強度の減衰を抑制する必要がある。【０００３】
レドームにおける、ビームの走査角に依存したビーム強度の減衰を抑制するために、レドームの厚さを途中で変える技術がある。例えば、特許文献１に記載のアンテナ装置は、アンテナから見て所定の方向よりも挟角方向ではレドームの厚さが１／２波長又は１／４波長の厚さとなり、アンテナから見て所定の方向よりも広角方向ではレドームの厚さが狭角方向におけるレドームの厚さよりも厚くなる構成を有している。そのため、当該アンテナ装置では、レドームの一方の表面が段差を有している。
【先行技術文献】
【特許文献】
【０００４】
【特許文献１】特開２０１８−１３７５６３号公報
【発明の概要】
【発明が解決しようとする課題】
【０００５】
レドームの表面に段差を設けた場合、アンテナ装置の使用用途によっては、空気抵抗又は熱変形などの外部環境の影響を強く受けることとなる。また、アンテナから見て所定の方向よりも狭角方向のレドームの厚さを制限することは、アンテナ装置の設計上の制約になる。また、当該挟角方向のレドームの厚さを、ミリ波のような高周波帯の１／２波長又は１／４波長の厚さとした場合、レドームの機械的な強度が弱くなってしまうという問題がある。【０００６】
この発明は、上記のような問題点を解決するためになされたものであり、アンテナを覆うレドームを備えているアンテナ装置において、レドームの表面に段差を設けることなく、レドームにおける、ビームの走査角に依存したビーム強度の減衰を抑制することを目的とする。
【課題を解決するための手段】
【０００７】
この発明に係るアンテナ装置は、アンテナと、当該アンテナを覆うレドームと、を備え、レドームは、表面が面一である第１の部分、第２の部分及び第３の部分を備え、第１の部分は、アンテナが出射方向を第１の部分に向けて出射したビームの０度の走査角に応じたビーム透過特性を有し、第２の部分は、アンテナが出射方向を当該第２の部分に向けて出射したビームの第１の走査角に応じたビーム透過特性を有し、第３の部分は、アンテナが出射方向を当該第３の部分に向けて出射したビームの第２の走査角に応じたビーム透過特性を有しており、アンテナは、平面アンテナであり、第２の部分は、第１の部分の一方の端部に隣接し、第３の部分は、第１の部分の他方の端部に隣接しており、第１の部分、第２の部分及び第３の部分は、それぞれ、１つ以上の層から構成され、第１の部分と第２の部分とは、層の数、及び１つ以上の層が複数の層である場合における各層の厚さ、の少なくとも１つ以上が異なることにより、ビーム透過特性が異なり、第１の部分と第３の部分とは、層の数、及び１つ以上の層が複数の層である場合における各層の厚さ、の少なくとも１つ以上が異なることにより、ビーム透過特性が異なる。
【発明の効果】
【０００８】
アンテナを覆うレドームを備えているアンテナ装置において、レドームの表面に段差を設けることなく、レドームにおける、アンテナが出射したビームの走査角に依存したビーム強度の減衰を抑制することができる。
【図面の簡単な説明】
【０００９】
【図１】図１Ａは、実施の形態１に係るアンテナ装置の構成を示す平面図である。図１Ｂは、実施の形態１に係るアンテナ装置の構成を示す断面図である。
【図２】図２Ａは、実施の形態１の第１の具体例に係るレドームの断面図である。図２Ｂは、実施の形態１の第２の具体例に係るレドームの断面図である。図２Ｃは、実施の形態１の第３の具体例に係るレドームの断面図である。図２Ｄは、実施の形態１の変形例に係るレドームの断面図である。
【図３】図３Ａは、実施の形態２に係るアンテナ装置の構成を示す平面図である。図３Ｂは、実施の形態２に係るアンテナ装置の構成を示す断面図である。
【図４】実施の形態２の具体例に係るアンテナ装置の構成を示す断面図である。
【図５】実施の形態２の具体例に係るレドームの層構成を示すグラフである。
【図６】実施の形態２の具体例に係るレドームのビーム透過特性と、特定の走査角に応じたビーム透過特性を有するレドームのビーム透過特性とを示すグラフである。
【図７】図７Ａは、実施の形態２の変形例に係るアンテナ装置の構成を示す平面図である。図７Ｂは、実施の形態２の変形例に係るアンテナ装置の構成を示す断面図である。
【図８】図８Ａは、実施の形態３に係るアンテナ装置の構成を示す平面図である。図８Ｂは、実施の形態３に係るアンテナ装置の構成を示す断面図である。
【図９】パラボラアンテナが開口面を第３の部分に向けた場合の構成を示す断面図である。
【図１０】図１０Ａは、実施の形態３の変形例に係るアンテナ装置の構成を示す平面図である。図１０Ｂは、実施の形態３の変形例に係るアンテナ装置の構成を示す断面図である。
【図１１】図１１Ａは、実施の形態４に係るアンテナ装置の構成を示す平面図である。図１１Ｂは、実施の形態４に係るアンテナ装置の構成を示す断面図である。
【図１２】ホーンアンテナが開口面を第３の部分に向けた場合の構成を示す断面図である。
【図１３】図１３Ａは、実施の形態４の変形例に係るアンテナ装置の構成を示す平面図である。図１３Ｂは、実施の形態４の変形例に係るアンテナ装置の構成を示す断面図である。
【発明を実施するための形態】
【００１０】
以下、この発明をより詳細に説明するため、この発明を実施するための形態について、添付の図面に従って説明する。
実施の形態１．
図１Ａは、実施の形態１に係るアンテナ装置１の構成を示す平面図である。図１Ｂは、図１Ａの点線α１から切断した面を断面とするアンテナ装置１の断面図である。図１Ａ及び図１Ｂが示すように、アンテナ装置１は、平面アンテナ１００と、当該平面アンテナを覆うレドーム１１０と、を備えている。
【００１１】
レドーム１１０は、表面が面一である第１の部分１１１、第２の部分１１２及び第３の部分１１３を備えている。より詳細には、第２の部分１１２は、第１の部分の一方の端部Ａに隣接し、第３の部分１１３は、第１の部分の他方の端部Ｂに隣接している。なお、第２の部分１１２及び第３の部分１１３は、第１の部分１１１以外のレドーム１１０の各部分とともに第１の部分１１１を取り囲むように一体形成され得る。
【００１２】
平面アンテナ１００は、誘電体基板１０２と、当該誘電体基板１０２上に並べて設置された複数のアンテナ素子１０１とを備えている。平面アンテナ１００は、複数のアンテナ素子１０１の各表面から構成されるビーム出射面から、レドーム１１０に向けてビームを出射する。平面アンテナ１００は、複数のアンテナ素子１０１を用いてビームの走査角を変更することにより、ビームの出射方向を変更することができる。なお、本実施形態では、レドーム１１０が覆うアンテナとして平面アンテナ１００を用いた構成について説明するが、レドーム１１０が覆うアンテナは、ビームの出射方向を変更できるアンテナであればよく、当該構成に限定されない。
【００１３】
レドーム１１０が備えている第１の部分１１１、第２の部分１１２及び第３の部分１１３と、平面アンテナ１００との詳細な配置として、第１の部分１１１は、平面アンテナ１００を基準として、０度の走査角の方向に位置し、第２の部分１１２は、平面アンテナ１００を基準として、第１の走査角θ１の方向に位置し、第３の部分１１３は、平面アンテナ１００を基準として、第２の走査角θ２の方向に位置している。より詳細には、第１の部分１１１の一方の端部Ａは、平面アンテナ１００が備えている複数のアンテナ素子１０１の各表面から構成されるビーム出射面の一方の端部Ｃを基準として、第１の走査角θ１よりも狭い走査角の方向に位置し、第１の部分１１１の他方の端部Ｂは、平面アンテナ１００の他方の端部Ｄを基準として、第２の走査角θ２よりも狭い走査角の方向に位置している。なお、本願明細書において、平面アンテナ１００が出射するビームの走査角は、平面アンテナ１００のビーム出射面と、当該ビーム出射面に対向する第１の部分１１１の面とを直交する線を基準線とした走査角であり、第２の部分１１２側の走査角を正の走査角とし、第３の部分１１３側の走査角を負の走査角とする。
【００１４】
本実施形態では、上記のように、第１の走査角θ１及び第２の走査角θ２によって、第１の部分１１１の大きさが規定されるが、平面アンテナ１００のビーム出射面の大きさによって、第１の部分１１１の大きさが規定されてもよい。その場合、例えば、第１の部分１１１は、平面アンテナ１００のビーム出射面に対向する面を有し、第１の部分１１１の当該面の大きさは、平面アンテナのビーム出射面の大きさと同等であるか、又は、平面アンテナのビーム出射面の大きさよりも大きい。
【００１５】
以下で、レドーム１１０が備えている第１の部分１１１、第２の部分１１２及び第３の部分の各ビーム透過特性について説明する。レドーム１１０が備えている第１の部分１１１は、平面アンテナ１００が出射方向を第１の部分１１１に向けて出射したビームの０度の走査角に応じたビーム透過特性を有している。なお、「ビーム透過特性」とは、レドーム１１０における、特定の方向から入射したビームに対する透過のしやすさを意味する。また、「第１の部分１１１が０度の走査角に応じたビーム透過特性を有する」とは、平面アンテナ１００が０度以外の走査角でビームを出射した場合と比較して、平面アンテナ１００が０度の走査角でビームを出射した場合に、第１の部分１１１が当該ビームを透過しやすい特性を有していることを意味する。
【００１６】
レドーム１１０が備えている第２の部分１１２は、平面アンテナ１００が出射方向を第２の部分１１２に向けて出射したビームの第１の走査角θ１に応じたビーム透過特性を有している。レドーム１１０が備えている第３の部分１１３は、平面アンテナ１００が出射方向を第３の部分１１３に向けて出射したビームの第２の走査角θ２に応じたビーム透過特性を有している。
【００１７】
第１の部分１１１、第２の部分１１２及び第３の部分１１３の各ビーム透過特性に関して、より詳細には、第１の部分１１１、第２の部分１１２及び第３の部分１１３は、それぞれ、１つ以上の層から構成されている。第１の部分１１１と第２の部分１１２とは、層の数、層の素材、及び当該１つ以上の層が複数の層である場合における各層の厚さ、の少なくとも１つ以上が異なることにより、ビーム透過特性が異なる。第１の部分１１１と第３の部分１１３とは、層の数、層の素材、及び当該１つ以上の層が複数の層である場合における各層の厚さ、の少なくとも１つ以上が異なることにより、ビーム透過特性が異なる。当該層の素材の例として、誘電体等が挙げられる。なお、第２の部分１１２と第３の部分１１３とは、層の数、層の素材、及び当該１つ以上の層が複数の層である場合における各層の厚さが同一であり得る。その場合、第２の部分１１２のビーム透過特性と第３の部分１１３のビーム透過特性とは、同一である。
【００１８】
次に、実施の形態１に係るレドーム１１０の具体例について図面を参照して説明する。図２Ａは、実施の形態１の第１の具体例に係るレドーム１２０の断面図である。図２Ａが示すように、レドーム１２０の第１の部分１２１、第２の部分１２２及び第３の部分１２３は、それぞれ、１つの層から構成されている。当該第１の具体例では、第１の部分１１１と第２の部分１１２とは、層の素材が異なることにより、ビーム透過特性が異なる。また同様に、第１の部分１１１と第３の部分１１３とは、層の素材が異なることにより、ビーム透過特性が異なる。
【００１９】
図２Ｂは、実施の形態１の第２の具体例に係るレドーム１３０の断面図である。図２Ｂが示すように、レドーム１３０の第１の部分１３１、第２の部分１３２及び第３の部分１３３は、それぞれ３つの層から構成されている。当該第２の具体例では、第１の部分１１１と第２の部分１１２とは、３つの層のうちの何れか１つ以上の層の素材が異なることにより、ビーム透過特性が異なる。また同様に、第１の部分１１１と第３の部分１１３とは、３つの層のうちの何れか１つ以上の層の素材が異なることにより、ビーム透過特性が異なる。
【００２０】
図２Ｃは、実施の形態１の第３の具体例に係るレドーム１４０の断面図である。図２Ｃが示すように、レドーム１４０の第１の部分１４１は、３つの層から構成され、第２の部分１４２及び第３の部分１４３は、それぞれ２つの層から構成されている。当該第３の具体例では、第１の部分１４１と第２の部分１４２とは、層の素材、層の数及び各層の厚さが異なることにより、ビーム透過特性が異なる。また同様に、第１の部分１４１と第３の部分１４３とは、層の素材、層の数及び各層の厚さが異なることにより、ビーム透過特性が異なる。
【００２１】
図２Ｄは、実施の形態１の変形例に係るレドーム１５０の断面図である。図２Ｄが示すように、レドーム１５０の第１の部分１５１、第２の部分１５２及び第３の部分１５３は、それぞれ、湾曲した１つの層から構成されている。上記の各具体例の図では、平面のレドームを示したが、図２Ｄのレドーム１５０のように、平面アンテナ１００を覆うレドームは、湾曲していてもよい。また、そのようなレドームの湾曲の曲率は、任意の値であり得る。
【００２２】
以上のように、実施の形態１に係るアンテナ装置１は、アンテナとしての平面アンテナ１００と、当該平面アンテナ１００を覆うレドームと、を備え、レドーム１１０は、表面が面一である第１の部分１１１、第２の部分１１２及び第３の部分１１３を備え、第１の部分１１１は、平面アンテナ１００が出射方向を第１の部分１１１に向けて出射したビームの０度の走査角に応じたビーム透過特性を有し、第２の部分１１２は、平面アンテナ１００が出射方向を当該第２の部分１１２に向けて出射したビームの第１の走査角θ１に応じたビーム透過特性を有し、第３の部分１１３は、平面アンテナ１００が出射方向を当該第３の部分１１３に向けて出射したビームの第２の走査角θ２に応じたビーム透過特性を有している。
【００２３】
上記の構成によれば、第１の部分１１１、第２の部分１１２及び第３の部分１１３は、各表面が面一である。また、第１の部分１１１は、平面アンテナ１００が０度の走査角でビームを出射した場合に、ビーム強度の減衰を抑制する。第２の部分１１２は、平面アンテナ１００が第１の走査角でビームを出射した場合に、ビーム強度の減衰を抑制する。第３の部分１１３は、平面アンテナ１００が第２の走査角でビームを出射した場合に、ビーム強度の減衰を抑制する。これにより、レドームの表面に段差を設けることなく、レドームにおける、ビームの走査角に依存したビーム強度の減衰を抑制することができる。
【００２４】
また、実施の形態１に係るアンテナ装置１は、第１の部分１１１、第２の部分１１２及び第３の部分１１３は、それぞれ、１つ以上の層から構成され、第１の部分１１１と第２の部分１１２とは、層の数、層の素材、及び当該１つ以上の層が複数の層である場合における各層の厚さ、の少なくとも１つ以上が異なることにより、ビーム透過特性が異なり、第１の部分１１１と第３の部分１１３とは、層の数、層の素材、及び当該１つ以上の層が複数の層である場合における各層の厚さ、の少なくとも１つ以上が異なることにより、ビーム透過特性が異なる。
【００２５】
上記の構成によれば、層の数、層の素材、及び当該１つ以上の層が複数の層である場合における各層の厚さ、の少なくとも１つ以上を異ならせることにより、レドームの表面に段差を設けることなく、レドームにおける、ビームの走査角に依存したビーム強度の減衰を抑制することができる。
【００２６】
また、実施の形態１に係るアンテナ装置１は、アンテナは、平面アンテナ１００であり、第２の部分１１２は、第１の部分１１１の一方の端部Ａに隣接し、第３の部分１１３は、第１の部分１１１の他方の端部Ｂに隣接している。
【００２７】
上記の構成によれば、第１の部分１１１の一方の端部Ａに隣接した領域で、第２の部分１１２が平面アンテナ１００を覆い、第１の部分１１１の他方の端部Ｂに隣接した領域で、第３の部分１１３が平面アンテナ１００を覆う。これにより、第１の部分１１１の一方の端部Ａに隣接した領域と第１の部分１１１の他方の端部Ｂに隣接した領域とからの風雨又は砂塵等の外部環境から平面アンテナ１００を保護しつつ、これらの領域に向けて出射されたビームのビーム強度の減衰を抑制することができる。
【００２８】
また、実施の形態１に係るアンテナ装置１は、第１の部分１１１は、平面アンテナ１００を基準として、０度の走査角の方向に位置し、第２の部分１１２は、平面アンテナ１００を基準として、第１の走査角θ１の方向に位置し、第３の部分１１３は、平面アンテナ１００を基準として、第２の走査角θ２の方向に位置している。
【００２９】
上記の構成によれば、第１の部分１１１は、平面アンテナ１００が０度の走査角の方向にビームを出射した場合に、ビーム強度の減衰を抑制するように配置されている。第２の部分１１２は、平面アンテナ１００が第１の走査角の方向にビームを出射した場合に、ビーム強度の減衰を抑制するように配置されている。第３の部分１１３は、平面アンテナ１００が第２の走査角の方向にビームを出射した場合に、ビーム強度の減衰を抑制するように配置されている。これにより、レドームにおける、ビームの走査角に依存したビーム強度の減衰を抑制することができる。
【００３０】
実施の形態２．
以下で、実施の形態２について図面を参照して説明する。なお、実施の形態１で説明した構成と同様の機能を有する構成については同一の符号を付し、その説明を省略する。
実施の形態１では、レドーム１１０が、第１の部分１１１、第２の部分１１２及び第３の部分１１３の３つの部分を備えている構成を説明した。実施の形態２では、レドーム２１０が第１の部分２１１、第２の部分２１２及び第３の部分２１３の各表面と表面が面一の１つ以上の部分をさらに備えている構成について説明する。
【００３１】
図３Ａは、実施の形態２に係るアンテナ装置２の構成を示す平面図である。図３Ｂは、図３Ａの点線α２から切断した面を断面とするアンテナ装置２の断面図である。図３Ａ及び図３Ｂが示すように、実施の形態２に係るアンテナ装置２が実施の形態１に係るアンテナ装置１と異なる点は、レドーム２１０が第１の部分２１１、第２の部分２１２及び第３の部分２１３に加えて、第４の部分２１４及び第５の部分２１５をさらに備えている点、並びに、平面アンテナ１００のビーム出射面に対向する第１の部分２１１の面Ｓ１の大きさと、平面アンテナ１００のビーム出射面Ｓ２の大きさとが同等である点である。なお、第４の部分２１４及び第５の部分２１５は、第１の部分２１１、第２の部分２１２及び第３の部分２１３を取り囲むように一体形成され得る。
【００３２】
以下で、第４の部分２１４及び第５の部分２１５の配置について説明する。レドーム２１０は、第２の部分２１２の端部Ｅに隣接した第４の部分２１４を備え、第３の部分２１３の端部Ｆに隣接した第５の部分２１５を備えている。なお、第２の部分２１２の端部Ｅは、第１の部分２１１に隣接した端部とは反対の第２の部分２１２の端部であり、第３の部分２１３の端部Ｆは、第１の部分２１１に隣接した端部とは反対の第３の部分２１３の端部である。第４の部分２１４は、平面アンテナ１００を基準として、第３の走査角θ３の方向に位置し、第５の部分２１５は、平面アンテナ１００を基準として、第４の走査角θ４の方向に位置している。より詳細には、第２の部分２１２の端部Ｅに隣接した第４の部分２１４の端部は、平面アンテナ１００が備えている複数のアンテナ素子１０１の各表面から構成されるビーム出射面の一方の端部Ｃを基準として、第３の走査角θ３よりも広い走査角の方向に位置している。第３の部分２１３の端部Ｆに隣接した第５の部分２１５の端部は、平面アンテナ１００が備えている複数のアンテナ素子１０１の各表面から構成されるビーム出射面の他方の端部Ｄを基準として、第４の走査角θ４よりも広い走査角の方向に位置している。また、第２の部分２１２は、以上のように規定された第１の部分２１１と第４の部分２１４との間に位置し、第３の部分２１３は、以上のように規定された第１の部分２１１と第５の部分２１５との間に位置している。
【００３３】
次に、レドーム２１０が備えている第１の部分２１１、第２の部分２１２、第３の部分２１３、第４の部分２１４及び第５の部分２１５の各ビーム透過特性について説明する。レドーム２１０が備えている第１の部分２１１は、平面アンテナ１００が出射方向を第１の部分２１１に向けて出射したビームの０度の走査角に応じたビーム透過特性を有している。レドーム２１０が備えている第４の部分２１４は、平面アンテナ１００が出射方向を第４の部分２１４に向けて出射したビームの第３の走査角θ３に応じたビーム透過特性を有している。レドーム２１０が備えている第５の部分２１５は、平面アンテナ１００が出射方向を第５の部分２１５に向けて出射したビームの第４の走査角θ４に応じたビーム透過特性を有している。なお、レドーム２１０が備えている第２の部分２１２は、走査角０度と第３の走査角θ３との間の第１の走査角に応じたビーム透過特性を有している。レドーム２１０が備えている第５の部分２１５は、走査角０度と第４の走査角θ４との間の第２の走査角に応じたビーム透過特性を有している。
【００３４】
次に、実施の形態２に係るアンテナ装置２の具体例について図面を参照して説明する。図４は、実施の形態２の具体例に係るアンテナ装置２０の構成を示す断面図である。アンテナ装置２０では、第２の部分２２２の端部Ｅに隣接した第４の部分２２４の端部は、平面アンテナ１００が備えている複数のアンテナ素子１０１の各表面から構成されるビーム出射面の他方の端部Ｄを基準として、走査角７０度よりも狭い走査角の方向に位置している。第３の部分２２３の端部Ｆに隣接した第５の部分２２５の端部は、平面アンテナ１００が備えている複数のアンテナ素子１０１の各表面から構成されるビーム出射面の一方の端部Ｃを基準として、走査角−７０度よりも狭い走査角の方向に位置している。また、アンテナ装置２０の平面アンテナ１００は、１２×１２の複数のアンテナ素子１０１を備えている。
【００３５】
以下で、レドーム２２０が備えている第１の部分２２１、第２の部分２２２、第３の部分２２３、第４の部分２２４及び第５の部分２２５の各ビーム透過特性について説明する。レドーム２２０が備えている第１の部分２２１は、平面アンテナ１００が出射方向を第１の部分２２１に向けて出射したビームの０度の走査角に応じたビーム透過特性を有している。レドーム２２０が備えている第２の部分２２２は、平面アンテナ１００が出射方向を第２の部分２２２に向けて出射したビームの第１の走査角３５度に応じたビーム透過特性を有している。レドーム２２０が備えている第３の部分２２３は、平面アンテナ１００が出射方向を第３の部分２２３に向けて出射したビームの第２の走査角−３５度に応じたビーム透過特性を有している。
【００３６】
レドーム２２０が備えている第４の部分２２４は、平面アンテナ１００が出射方向を第４の部分２２４に向けて出射したビームの第３の走査角７０度に応じたビーム透過特性を有している。レドーム２２０が備えている第５の部分２２５は、平面アンテナ１００が出射方向を第５の部分２２５に向けて出射したビームの第４の走査角−７０度に応じたビーム透過特性を有している。
【００３７】
図５は、実施の形態２の具体例に係るレドーム２２０の層構成を示すグラフである。図５に向かって左側の棒グラフは、第１の部分２２１の各層を示し、図５に向かって真ん中の棒グラフは、第２の部分２２２及び第３の部分２２３の各層を示し、図５に向かって右側の棒グラフは、第４の部分２２４及び第５の部分２２５の各層を示している。図５の縦軸は、各部分における層の厚さを示している。
【００３８】
図５が示すように、第１の部分２２１は、厚さが１．４ｍｍのＰＴＦＥ（polytetrafluoroethylene）の層と、厚さが１．０ｍｍのＱＦＲＰ（Quartz Fiber Reinforced Plastic）の層と、厚さが１．２ｍｍのＰＴＦＥの層と、厚さが３．１ｍｍのｆｏｒｍの層とから構成されている。なお、ｆｏｒｍの層は、上記の各層を堆積するための基礎となる層であり、ＰＴＦＥ及びＱＦＲＰとは異なる誘電体から構成されている。また、これらの各層は、図５でｂｏｎｄと示された接着剤で接着されている。第１の部分２２１は、上記のような素材及び厚さの複数の層で構成されることにより、平面アンテナ１００が第１の部分２２１に向けて出射したビームの走査角０度に応じたビーム透過特性を有している。
【００３９】
図５が示すように、第２の部分２２２及び第３の部分２２３は、それぞれ、厚さが１．５ｍｍのＰＴＦＥの層と、厚さが１．３ｍｍのＱＦＲＰの層と、厚さが１．４ｍｍのＰＴＦＥの層と、厚さが２．６ｍｍのｆｏｒｍの層とから構成されている。なお、これらの各層は、接着剤で接着されている。第２の部分２２２は、上記のような素材及び厚さの複数の層で構成されることにより、平面アンテナ１００が第２の部分２２２に向けて出射したビームの走査角３５度に応じたビーム透過特性を有している。第３の部分２２３は、上記のような素材及び厚さの複数の層で構成されることにより、平面アンテナ１００が第３の部分２２３に向けて出射したビームの走査角−３５度に応じたビーム透過特性を有している。
【００４０】
図５が示すように、第４の部分２２４及び第５の部分２２５は、それぞれ、厚さが１．６ｍｍのＰＴＦＥの層と、厚さが１．５ｍｍのＱＦＲＰの層と、厚さが１．５ｍｍのＰＴＦＥの層と、厚さが２．１ｍｍのｆｏｒｍとから構成されている。なお、これらの各層は、接着剤で接着されている。第４の部分２２４は、上記のような素材及び厚さの複数の層で構成されることにより、平面アンテナ１００が第４の部分２２４に向けて出射したビームの走査角７０度に応じたビーム透過特性を有している。第５の部分２２５は、上記のような素材及び厚さの複数の層で構成されることにより、平面アンテナ１００が第５の部分２２５に向けて出射したビームの走査角−７０度に応じたビーム透過特性を有している。
【００４１】
図６は、実施の形態２の具体例に係るレドーム２２０のビーム透過特性と、特定の走査角に応じたビーム透過特性を有するレドームのビーム透過特性とを示すグラフである。図６の縦軸は、レドームを透過した後のビームの強度と、レドームを透過する前のビームの強度との差であるビーム強度の減衰度をビーム透過特性として示す。図６の横軸は、レドームが覆うアンテナが出射するビームの走査角を示す。図６における実線の折れ線グラフは、レドーム２２０のビーム透過特性を示し、２つの点線の折れ線グラフは、それぞれ、レドームの全ての部分が、アンテナが出射するビームの０度の走査角に応じたビーム透過特性を有する第１のレドームのビーム透過特性と、レドームの全ての部分が、アンテナが出射するビームの７０度の走査角に応じたビーム透過特性を有する第２のレドームのビーム透過特性とを示す。図６が示すように、０度の走査角に対して、レドーム２２０のビーム透過特性は、第２のビーム透過特性よりも、ビーム強度の減衰度が小さいためビームを透過しやすい。また、図６が示すように、３５度の走査角に対して、レドーム２２０のビーム透過特性は、第２のビーム透過特性よりも、ビーム強度の減衰度が小さいためビームを透過しやすい。また、図６が示すように、７０度の走査角に対して、レドーム２２０のビーム透過特性は、第１のビーム透過特性よりも、ビーム強度の減衰度が小さいためビームを透過しやすい。以上のように、レドーム２２０は、第１のレドーム及び第２のレドームよりも、広い走査角に対応したビーム透過特性を有している。
【００４２】
次に、実施の形態２の変形例について図面を参照して説明する。図７Ａは、実施の形態２の変形例に係るアンテナ装置２１の構成を示す平面図である。図７Ｂは、図７Ａの点線α３から切断した面を断面とするアンテナ装置２１の断面図である。図７Ａ及び図７Ｂが示すように、アンテナ装置２１は、レドーム２３０が第１の部分２３１、第２の部分２３２、第３の部分２３３、第４の部分２３４及び第５の部分２３５に加えて、これらの各部分の表面と表面が面一の第６の部分２３６及び第７の部分２３７をさらに備えている。より詳細には、レドーム２３０は、第４の部分２３４の端部Ｇに隣接した第６の部分２３６を備え、第５の部分２３５の端部Ｈに隣接した第７の部分２３７を備えている。なお、第４の部分２３４の端部Ｇは、第２の部分２３２に隣接した端部とは反対の第４の部分２３４の端部であり、第５の部分２３５の端部Ｈは、第３の部分２３３に隣接した端部とは反対の第５の部分２３５の端部である。なお、第６の部分２３６及び第７の部分２３７は、第１の部分２３１、第２の部分２３２、第３の部分２３３、第４の部分２３４及び第５の部分２３５を取り囲むように一体形成され得る。
【００４３】
第６の部分２３６は、平面アンテナ１００を基準として、第５の走査角θ５の方向に位置し、第７の部分２３７は、平面アンテナ１００を基準として、第６の走査角θ６の方向に位置している。より詳細には、第４の部分の端部Ｇに隣接した第６の部分２３６の端部は、平面アンテナ１００が備えている複数のアンテナ素子１０１の各表面から構成されるビーム出射面の一方の端部Ｃを基準として、第５の走査角θ５の方向よりも広い走査角の方向に位置している。第５の部分２３５の端部Ｈに隣接した第７の部分２３７の端部は、平面アンテナ１００が備えている複数のアンテナ素子１０１の各表面から構成されるビーム出射面の他方の端部Ｄを基準として、第６の走査角θ６よりも広い走査角の方向に位置している。
【００４４】
第６の部分２３６は、平面アンテナ１００が出射方向を第６の部分２３６に向けて出射したビームの第５の走査角θ５に応じたビーム透過特性を有している。レドーム２３０が備えている第７の部分２３７は、平面アンテナ１００が出射方向を第７の部分２３７に向けて出射したビームの第６の走査角θ６に応じたビーム透過特性を有している。
【００４５】
以上のように、実施の形態２に係るレドームが第１の部分、第２の部分及び第３の部分以外にさらに備えている部分の数に限定はない。当該数が単数である場合、実施の形態２に係るレドームが第１の部分、第２の部分及び第３の部分以外にさらに備えている１つの部分は、平面アンテナ１００が出射方向を当該１つの部分に向けて出射したビームの所定の走査角に応じたビーム透過特性を有している。当該数が複数である場合、実施の形態２に係るレドームが第１の部分、第２の部分及び第３の部分以外にさらに備えている複数の部分のうちの任意の部分は、平面アンテナ１００が出射方向を当該任意の部分に向けて出射したビームの所定の走査角に応じたビーム透過特性を有している。
【００４６】
以上のように、実施の形態２に係るアンテナ装置２は、レドーム２１０は、第１の部分２１１、第２の部分２１２及び第３の部分２１３の各表面と表面が面一の１つ以上の部分をさらに備え、当該１つ以上の部分のうちの任意の部分は、平面アンテナ１００が出射方向を当該任意の部分に向けて出射したビームの所定の走査角に応じたビーム透過特性を有している。
上記の構成によれば、当該１つ以上の部分が配置された領域で、当該１つ以上の部分が平面アンテナ１００を覆う。これにより、当該領域からの風雨又は砂塵等の外部環境から平面アンテナ１００を保護しつつ、当該領域に向けて出射されたビームのビーム強度の減衰を抑制することができる。
【００４７】
また、実施の形態１に係るアンテナ装置２は、第１の部分２１１は、平面アンテナ１００のビーム出射面に対向する面を有し、第１の部分２１１の当該面の大きさと、平面アンテナ１００のビーム出射面の大きさとは、同等である。
【００４８】
上記の構成によれば、平面アンテナ１００のビーム出射面の大きさと同等の大きさの領域で第１の部分２１１が平面アンテナ１００を覆う。これにより、当該領域のレドームの厚みを変更することなく、当該領域に向けて出射されたビームのビーム強度の減衰を抑制することができる。
【００４９】
実施の形態３．
以下で、実施の形態３について図面を参照して説明する。実施の形態１及び実施の形態２では、レドームが覆うアンテナが平面アンテナである構成を説明した。実施の形態３では、レドームが覆うアンテナが開口面アンテナである構成について説明する。
図８Ａは、実施の形態３に係るアンテナ装置３の構成を示す平面図である。図８Ｂは、図８Ａの点線α４から切断した面を断面とするアンテナ装置３の断面図である。図８Ａ及び図８Ｂが示すように、実施の形態３に係るアンテナ装置３が実施の形態１に係るアンテナ装置１と異なる点は、アンテナ装置３が平面アンテナの代わりに開口面アンテナであるパラボラアンテナ３００を備えている点と、レドーム３１０が備えている第１の部分３１１、第２の部分３１２及び第３の部分３１３の互いの配置が異なる点とである。なお、第２の部分３１２は、第１の部分２３１を取り囲むように一体形成され得る。第３の部分３１３は、第２の部分３１２を取り囲むように一体形成され得る。
【００５０】
パラボラアンテナ３００は、１次放射器３０１、１次放射器３０１に対向する反射鏡３０２、及び反射鏡３０２に接続された土台３０３を備えている。１次放射器３０１は、反射鏡３０２にビームを放射し、反射鏡３０２は、１次放射器３０１が放射したビームをレドーム３１０に向けて反射する。１次放射器３０１及び反射鏡３０２からなる構成は、土台３０３との接点を中心に回転することにより、出射するビームの走査角を変更することができる。
【００５１】
レドーム３１０が備えている第３の部分３１３は、第２の部分３１２の一方の端部Ｉに隣接し、第１の部分３１１は、第２の部分３１２の他方の端部Ｊに隣接している。レドーム３１０が備えている第１の部分３１１は、図８Ｂが示すようにパラボラアンテナ３００が開口面Ｓ４を第１の部分３１１に向けた場合にパラボラアンテナ３００の開口面Ｓ４に対向する面Ｓ３を有しており、第１の部分３１１の当該面Ｓ３の大きさと、パラボラアンテナ３００の開口面Ｓ４の大きさとは同等である。
【００５２】
次に、パラボラアンテナ３００が開口面Ｓ４を第３の部分３１３に向けた場合の構成について説明する。図９は、パラボラアンテナ３００が開口面Ｓ４を第３の部分３１３に向けた場合の構成を示す断面図である。第１の部分３１１は、パラボラアンテナ３００を基準として、０度の走査角の方向に位置し、第２の部分３１２は、パラボラアンテナ３００を基準として、第１の走査角の方向に位置し、第３の部分３１３は、パラボラアンテナ３００を基準として、第２の走査角θ７の方向に位置している。なお、第１の走査角は、第２の走査角θ７と０度の走査角との間の走査角である。第１の部分３１１、第２の部分３１２及び第３の部分３１３の互いの配置について、より詳細には、第２の部分３１２の一方の端部Ｉに隣接した第３の部分３１３の端部は、パラボラアンテナ３００の開口面Ｓ４の一方の端部Ｋを基準として、第２の走査角θ７よりも広い走査角の方向に位置している。
【００５３】
以下で、レドーム３１０が備えている第１の部分３１１、第２の部分３１２及び第３の部分３１３の各ビーム透過特性について説明する。レドーム３１０が備えている第１の部分３１１は、パラボラアンテナ３００が出射方向を第１の部分３１１に向けて出射したビームの０度の走査角に応じたビーム透過特性を有している。
【００５４】
レドーム３１０が備えている第２の部分３１２は、パラボラアンテナ３００が出射方向を第２の部分３１２に向けて出射したビームの第１の走査角に応じたビーム透過特性を有している。レドーム３１０が備えている第３の部分３１３は、パラボラアンテナ３００が出射方向を第３の部分３１３に向けて出射したビームの第２の走査角θ７に応じたビーム透過特性を有している。なお、第１の走査角は、第２の走査角θ７と０度の走査角との間の走査角である。
【００５５】
第１の部分３１１、第２の部分３１２及び第３の部分３１３の各ビーム透過特性について、より詳細には、第１の部分３１１、第２の部分３１２及び第３の部分３１３は、それぞれ、１つ以上の層から構成されている。第１の部分３１１と第２の部分３１２とは、層の数、層の素材、及び当該１つ以上の層が複数の層である場合における各層の厚さ、の少なくとも１つ以上が異なることにより、ビーム透過特性が異なる。第１の部分３１１と第３の部分３１３とは、層の数、層の素材、及び当該１つ以上の層が複数の層である場合における各層の厚さ、の少なくとも１つ以上が異なることにより、ビーム透過特性が異なる。第２の部分３１２と第３の部分３１３とは、層の数、層の素材、及び当該１つ以上の層が複数の層である場合における各層の厚さ、の少なくとも１つ以上が異なることにより、ビーム透過特性が異なる。
【００５６】
次に、実施の形態３の変形例について図面を参照して説明する。図１０Ａは、実施の形態３の変形例に係るアンテナ装置３０の構成を示す平面図である。図１０Ｂは、図１０Ａの点線α５から切断した面を断面とするアンテナ装置３０の断面図である。図１０Ａ及び図１０Ｂが示すように、アンテナ装置３０は、レドーム３２０が第１の部分３２１、第２の部分３２２及び第３の部分３２３に加えて、これらの各部分の表面と表面が面一の第４の部分３２４及び第５の部分３２５をさらに備えている。また、パラボラアンテナ３００は、開口面Ｓ４を第５の部分３２５に向けている。レドーム３２０が備えている第４の部分３２４及び第５の部分３２５の配置について、より詳細には、レドーム３２０は、第１の部分３２１の端部Ｌに隣接した第４の部分３２４を備え、第４の部分３２４の端部Ｍに隣接した第５の部分３２５を備えている。なお、第１の部分３２１の端部Ｌは、第２の部分３２２に隣接した端部とは反対の第１の部分３２１の端部であり、第４の部分３２４の端部Ｍは、第１の部分３２１に隣接した端部とは反対の第４の部分３２４の端部である。なお、第４の部分３２４は、第２の部分３２２とともに、第１の部分３２１を取り囲むように一体形成され得る。第５の部分３２５は、第３の部分３２３とともに、第２の部分３２２及び第４の部分３２４を取り囲むように一体形成され得る。
【００５７】
第４の部分３２４は、パラボラアンテナ３００を基準として、第３の走査角の方向に位置し、第５の部分３２５は、パラボラアンテナ３００を基準として、第４の走査角θ８の方向に位置している。なお、第３の走査角は、第４の走査角θ８と０度の走査角との間の走査角である。第４の部分３２４及び第５の部分３２５の互いの配置について、より詳細には、第４の部分の一方の端部Ｍに隣接した第５の部分の端部は、パラボラアンテナ３００の開口面Ｓ４の他方の端部Ｎを基準として、第４の走査角θ８よりも広い走査角の方向に位置している。
【００５８】
以下で、レドーム３２０が備えている第４の部分３２４及び第５の部分３２５の各ビーム透過特性について説明する。レドーム３２０が備えている第４の部分３２４は、パラボラアンテナ３００が出射方向を第４の部分３２４に向けて出射したビームの第３の走査角に応じたビーム透過特性を有している。レドーム３２０が備えている第５の部分３２５は、パラボラアンテナ３００が出射方向を第５の部分３２５に向けて出射したビームの第４の走査角θ８に応じたビーム透過特性を有している。なお、第３の走査角は、第４の走査角θ８と０度の走査角との間の走査角である。
【００５９】
以上のように、実施の形態３に係るアンテナ装置３は、アンテナは、開口面アンテナとしてのパラボラアンテナ３００であり、第３の部分３１３は、第２の部分３１２の一方の端部Ｉに隣接し、第１の部分３１１は、第２の部分３１２の他方の端部Ｊに隣接している。
【００６０】
上記の構成によれば、第２の部分３１２の一方の端部Ｉに隣接した領域で、第３の部分３１３が開口面アンテナを覆い、第２の部分３１２の他方の端部Ｊに隣接した領域で、第１の部分３１１が開口面アンテナを覆う。これにより、第２の部分３１２の一方の端部Ｉに隣接した領域と第２の部分３１２の他方の端部Ｊに隣接した領域とからの風雨又は砂塵等の外部環境から開口面アンテナを保護しつつ、レドームの表面に段差を設けることなく、これらの領域に向けて出射されたビームのビーム強度の減衰を抑制することができる。
【００６１】
また、実施の形態３に係るアンテナ装置３は、第１の部分３１１、第２の部分３１２及び第３の部分３１３は、それぞれ、１つ以上の層から構成され、第１の部分３１１と第２の部分３１２とは、層の数、層の素材、及び当該１つ以上の層が複数の層である場合における各層の厚さ、の少なくとも１つ以上が異なることにより、ビーム透過特性が異なり、第１の部分３１１と第３の部分３１３とは、層の数、層の素材、及び当該１つ以上の層が複数の層である場合における各層の厚さ、の少なくとも１つ以上が異なることにより、ビーム透過特性が異なり、第２の部分３１２と第３の部分３１３とは、層の数、層の素材、及び当該１つ以上の層が複数の層である場合における各層の厚さ、の少なくとも１つ以上が異なることにより、ビーム透過特性が異なる。
【００６２】
上記の構成によれば、層の数、層の素材、及び当該１つ以上の層が複数の層である場合における各層の厚さ、の少なくとも１つ以上を異ならせることにより、レドームの表面に段差を設けることなく、レドームにおける、ビームの走査角に依存したビーム強度の減衰を抑制することができる。
【００６３】
また、実施の形態３に係るアンテナ装置３は、第１の部分３１１は、開口面アンテナを基準として、０度の走査角の方向に位置し、第２の部分３１２は、開口面アンテナを基準として、第２の走査角と０度の走査角との間の第１の走査角の方向に位置し、第３の部分３１３は、開口面アンテナを基準として、第２の走査角θ７の方向に位置している。
【００６４】
上記の構成によれば、第１の部分３１１は、開口面アンテナが０度の走査角の方向にビームを出射した場合に、ビーム強度の減衰を抑制するように配置されている。第２の部分３１２は、開口面アンテナが第１の走査角の方向にビームを出射した場合に、ビーム強度の減衰を抑制するように配置されている。第３の部分３１３は、開口面アンテナが第２の走査角θ７の方向にビームを出射した場合に、ビーム強度の減衰を抑制するように配置されている。これにより、レドームにおける、ビームの走査角に依存したビーム強度の減衰を抑制することができる。
【００６５】
また、実施の形態３に係るアンテナ装置３は、第１の部分３１１は、開口面アンテナが開口面Ｓ４を第１の部分３１１に向けた場合に当該開口面Ｓ４に対向する面を有し、第１の部分３１１の当該面の大きさと、開口面アンテナの開口面Ｓ４の大きさとは、同等である。
【００６６】
上記の構成によれば、開口面アンテナの開口面Ｓ４の大きさと同等の大きさの領域で第１の部分３１１が開口面アンテナを覆う。これにより、当該領域からの風雨又は砂塵等の外部環境から開口面アンテナを保護しつつ、当該領域に向けて出射されたビームのビーム強度の減衰を抑制することができる。
【００６７】
実施の形態４．
以下で、実施の形態４について図面を参照して説明する。実施の形態３では、レドームが覆うアンテナが開口面アンテナとしてのパラボラアンテナである構成について説明した。実施の形態４では、レドームが覆うアンテナが開口面アンテナとしてのホーンアンテナである構成について説明する。
図１１Ａは、実施の形態４に係るアンテナ装置４の構成を示す平面図である。図１１Ｂは、図１１Ｂの点線α６から切断した面を断面とするアンテナ装置４の断面図である。図１１Ａ及び図１１Ｂが示すように、実施の形態４に係るアンテナ装置４が実施の形態３に係るアンテナ装置３と異なる点は、アンテナ装置４が開口面アンテナとしてホーンアンテナ４００を備えている点である。
【００６８】
ホーンアンテナ４００は、開口面Ｓ５からビームをレドーム４１０に向けて出射する。
レドーム４１０が備えている第３の部分４１３は、第２の部分４１２の一方の端部Ｏに隣接し、第１の部分４１１は、第２の部分４１２の他方の端部Ｐに隣接している。レドーム４１０が備えている第１の部分４１１は、図１１Ｂが示すようにホーンアンテナ４００が開口面Ｓ５を第１の部分４１１に向けた場合にホーンアンテナ４００の開口面Ｓ５に対向する面Ｓ６を有しており、第１の部分４１１の当該面Ｓ６の大きさと、ホーンアンテナ４００の開口面Ｓ５の大きさとは同等である。
【００６９】
次に、ホーンアンテナ４００が開口面Ｓ５を第３の部分４１３に向けた場合の構成について説明する。図１２は、ホーンアンテナ４００が開口面Ｓ５を第３の部分４１３に向けた場合の構成を示す断面図である。第１の部分４１１は、ホーンアンテナ４００を基準として、０度の走査角の方向に位置し、第２の部分４１２は、ホーンアンテナ４００を基準として、第１の走査角の方向に位置し、第３の部分４１３は、ホーンアンテナ４００を基準として、第２の走査角θ９の方向に位置している。なお、第１の走査角は、第２の走査角θ９と０度の走査角との間の走査角である。第１の部分４１１、第２の部分４１２及び第３の部分４１３の互いの配置について、より詳細には、第２の部分４１２の一方の端部Ｏに隣接した第３の部分４１３の端部は、ホーンアンテナ４００の開口面Ｓ５の一方の端部Ｑを基準として、第２の走査角θ９よりも広い走査角の方向に位置している。
【００７０】
以下で、レドーム４１０が備えている第１の部分４１１、第２の部分４１２及び第３の部分４１３の各ビーム透過特性について説明する。レドーム４１０が備えている第１の部分４１１は、ホーンアンテナ４００が出射方向を第１の部分４１１に向けて出射したビームの０度の走査角に応じたビーム透過特性を有している。
【００７１】
レドーム４１０が備えている第２の部分４１２は、ホーンアンテナ４００が出射方向を第２の部分４１２に向けて出射したビームの第１の走査角に応じたビーム透過特性を有している。レドーム４１０が備えている第３の部分４１３は、ホーンアンテナ４００が出射方向を第３の部分４１３に向けて出射したビームの第２の走査角θ９に応じたビーム透過特性を有している。なお、第１の走査角は、第２の走査角θ９と０度の走査角との間の走査角である。
【００７２】
第１の部分４１１、第２の部分４１２及び第３の部分４１３の各ビーム透過特性について、より詳細には、第１の部分４１１、第２の部分４１２及び第３の部分４１３は、それぞれ、１つ以上の層から構成されている。第１の部分４１１と第２の部分４１２とは、層の数、層の素材、及び当該１つ以上の層が複数の層である場合における各層の厚さ、の少なくとも１つ以上が異なることにより、ビーム透過特性が異なる。第１の部分４１１と第３の部分４１３とは、層の数、層の素材、及び当該１つ以上の層が複数の層である場合における各層の厚さ、の少なくとも１つ以上が異なることにより、ビーム透過特性が異なる。第２の部分４１２と第３の部分４１３とは、層の数、層の素材、及び当該１つ以上の層が複数の層である場合における各層の厚さ、の少なくとも１つ以上が異なることにより、ビーム透過特性が異なる。
【００７３】
次に、実施の形態４の変形例について図面を参照して説明する。図１３Ａは、実施の形態４の変形例に係るアンテナ装置４０の構成を示す平面図である。図１３Ｂは、図１３Ａの点線α７から切断した面を断面とするアンテナ装置４０の断面図である。図１３Ａ及び図１３Ｂが示すように、アンテナ装置４０は、レドーム４２０が第１の部分４２１、第２の部分４２２及び第３の部分４２３に加えて、これらの各部分の表面と表面が面一の第４の部分４２４及び第５の部分４２５をさらに備えている。また、ホーンアンテナ４００は、開口面Ｓ５を第５の部分４２５に向けている。レドーム４２０が備えている第４の部分４２４及び第５の部分４２５の配置について、より詳細には、レドーム４２０は、第１の部分４２１の端部Ｒに隣接した第４の部分４２４を備え、第４の部分４２４の端部Ｓに隣接した第５の部分４２５を備えている。なお、第１の部分４２１の端部Ｒは、第２の部分４２２に隣接した端部とは反対の第１の部分４２１の端部であり、第４の部分４２４の端部Ｓは、第１の部分４２１に隣接した端部とは反対の第４の部分４２４の端部である。
【００７４】
第４の部分４２４は、ホーンアンテナ４００を基準として、第３の走査角の方向に位置し、第５の部分４２５は、ホーンアンテナ４００を基準として、第４の走査角θ１０の方向に位置している。なお、第３の走査角は、第４の走査角θ１０と０度の走査角との間の走査角である。第４の部分４２４及び第５の部分４２５の互いの配置について、より詳細には、第４の部分の一方の端部Ｓに隣接した第５の部分の端部は、ホーンアンテナ４００の開口面Ｓ５の他方の端部Ｔを基準として、第４の走査角θ１０よりも広い走査角の方向に位置している。
【００７５】
以下で、レドーム４２０が備えている第４の部分４２４及び第５の部分４２５の各ビーム透過特性について説明する。レドーム４２０が備えている第４の部分４２４は、ホーンアンテナ４００が出射方向を第４の部分４２４に向けて出射したビームの第３の走査角に応じたビーム透過特性を有している。レドーム４２０が備えている第５の部分４２５は、ホーンアンテナ４００が出射方向を第５の部分４２５に向けて出射したビームの第４の走査角θ１０に応じたビーム透過特性を有している。なお、第３の走査角は、第４の走査角θ１０と０度の走査角との間の走査角である。
【００７６】
以上のように、実施の形態４では、レドーム４１０が覆う開口面アンテナがホーンアンテナ４００である構成を示した。このような構成であっても、実施の形態３に係るアンテナ装置３と同様の効果を奏する。
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００７７】
この発明に係るアンテナ装置は、アンテナを覆うレドームを備えているアンテナ装置において、レドームの表面に段差を設けることなく、レドームにおける、アンテナが出射したビームの走査角に依存したビーム強度の減衰を抑制することができるので、アンテナを覆うレドームを備えているアンテナ装置に利用可能である。
【符号の説明】
【００７８】
１，２，３，４，２０，２１，３０，４０  アンテナ装置、１００  平面アンテナ、１０１  複数のアンテナ素子、１０２  誘電体基板、１１０，１２０，１３０，１４０，１５０，２１０，２２０，２３０，３１０，３２０，４１０，４２０  レドーム、１１１，１２１，１３１，１４１，１５１，２１１，２２１，２３１，３１１，３２１，４１１，４２１  第１の部分、１１２，１２２，１３２，１４２，１５２，２１２，２２２，２３２，３１２，３２２，４１２，４２２  第２の部分、１１３，１２３，１３３，１４３，１５３，２１３，２２３，２３３，３１３，３２３，４１３，４２３  第３の部分、２１４，２２４，２３４，３２４，４２４  第４の部分、２１５，２２５，２３５，３２５，４２５  第５の部分、２３６  第６の部分、２３７  第７の部分、３００  パラボラアンテナ、３０１  １次放射器、３０２  反射鏡、３０３  土台、４００  ホーンアンテナ。
【要約】
アンテナ（１００）と、アンテナ（１００）を覆うレドーム（１１０）と、を備え、レドーム（１１０）は、表面が面一である第１の部分（１１１）、第２の部分（１１２）及び第３の部分（１１３）を備え、第１の部分（１１１）は、アンテナ（１００）が出射方向を第１の部分（１１１）に向けて出射したビームの０度の走査角に応じたビーム透過特性を有し、第２の部分（１１２）は、アンテナ（１００）が出射方向を第２の部分（１１２）に向けて出射したビームの第１の走査角に応じたビーム透過特性を有し、第３の部分（１１３）は、アンテナが出射方向を第３の部分（１１３）に向けて出射したビームの第２の走査角に応じたビーム透過特性を有している。【図１】
0006563159.tif 000002
【図２】
0006563159.tif 000003
【図３】
0006563159.tif 000004
【図４】
0006563159.tif 000005
【図５】
0006563159.tif 000006
【図６】
0006563159.tif 000007
【図７】
0006563159.tif 000008
【図８】
0006563159.tif 000009
【図９】
0006563159.tif 000010
【図１０】
0006563159.tif 000011
【図１１】
0006563159.tif 000012
【図１２】
0006563159.tif 000013
【図１３】
0006563159.tif 000014